(57)【要約】      （修正有）【課題】頬にフィットして防寒性を高める防寒用耳当を提供する。【解決手段】この防寒用耳当１００によれば、補助部２に力を加えることで、内部の基材５が変形すると共にその変形姿勢を維持する。ユーザは、自分の顔の形に合わせて適宜補助部２を変形させることが可能であるから、補助部２を頬にフィットするように変形させることも容易である。また、基材５が針金７を取り回した構成であるため、単純な折り曲げではなく、三次元的な折り曲げも自在である。即ち、頬は、下方に向かって細くなるところ、この補助部２は頬に沿った形状に湾曲変形できるので、当該補助部２を頬に対してフィットさせることができる。このため、頬と補助部２との隙間をなくして防寒性を高めることができる。【選択図】図２
0003191545.tif 000002
【実用新案登録請求の範囲】
【請求項１】
左右の耳に被せる一対の耳当部と、
耳当部に設けられ且つ装着状態で頬に位置する補助部と、
前記耳当部を連結する長尺の連結部と、
変形自在で変形姿勢を維持可能であり且つ前記耳当部の内部に配設されると共に当該耳当部から前記補助部の内部にかけて延出する基材と、
を備えたことを特徴とする防寒用耳当。
【請求項２】
前記基材は、針金を略平面的に取り回して形成されることを特徴とする請求項１に記載の防寒用耳当。
【請求項３】
更に、前記略平面的に取回した針金に当て板を設けたことを特徴とする請求項２に記載の防寒用耳当。
【請求項４】
前記連結部は、変形自在で変形姿勢を維持可能な連結部用基材を内部に配設してあることを特徴とする請求項１〜３のいずれか一つに記載の防寒用耳当。
【請求項５】
更に、前記連結部用基材は、複数本の針金を並べて構成されることを特徴とする請求項４に記載の防寒用耳当。
【請求項６】
前記連結部用基材は、長尺の連結部を構成する当て板に沿って前記針金を設けたことを特徴とする請求項５に記載の防寒用耳当。
【請求項７】
更に、前記補助部に被せる着脱自在のカバーを設けたことを特徴とする請求項１〜６のいずれか一つに記載の防寒用耳当。
【考案の詳細な説明】
【技術分野】
【０００１】
本考案は、冬の寒い時期に耳を保温するための防寒用耳当てに関するものである。
【背景技術】
【０００２】
従来から特許文献１に記載されているような防寒用耳当が知られている。この防寒用耳当は、耳に当てる主防寒部材に、ほほ骨部位に当てる補助防寒部材を付設した構成である。この防寒用耳当では、補助防寒部材がほほ骨部位にも装着されるので、冬の寒い時期に寒風から耳のみならず頬も保護できる。また、補助防寒部材は、主防寒部材にスライド可能に装着され、ほほ骨部位の最適な位置に補助防寒部材を配置できるような構成である（特許文献１の図６参照）。
【先行技術文献】
【特許文献】
【０００３】
【特許文献１】登録実用新案第３１５９２１２号公報
【考案の概要】
【考案が解決しようとする課題】
【０００４】
しかしながら、上記従来の防寒用耳当は、主防寒部材に対して補助防寒部材がスライドする構造であるため、ユーザの頬と当該補助防寒部材との間に隙間が生じてしまう。ユーザの顔の大きさや形は様々であるので、単なるスライド構造により補助防寒部材を設けても、ユーザの頬にフィットすることはできない。このため、頬の防寒がうまくできないという問題点があった。本考案は、係る問題点を解決するためになされたものである。
【課題を解決するための手段】
【０００５】
本考案に係る防寒用耳当は、左右の耳に被せる一対の耳当部と、耳当部に設けられ且つ装着状態で頬に位置する補助部と、前記耳当部を連結する長尺の連結部と、変形自在で変形姿勢を維持可能であり且つ前記耳当部の内部に配設されると共に当該耳当部から前記補助部の内部にかけて延出する基材とを備えたことを特徴とする。
【０００６】
また、本考案に係る防寒用耳当は、上記考案において、前記基材は、針金を略平面的に取り回して形成されることを特徴とする。
【０００７】
また、本考案に係る防寒用耳当は、上記考案において、更に、前記略平面的に取回した針金に当て板を設けたことを特徴とする。
【０００８】
また、本考案に係る防寒用耳当は、上記考案において、前記連結部は、変形自在で変形姿勢を維持可能な連結部用基材を内部に配設してあることを特徴とする。
【０００９】
また、本考案に係る防寒用耳当は、上記考案において、更に、前記連結部用基材は、複数本の針金を並べて構成されることを特徴とする。
【００１０】
また、本考案に係る防寒用耳当は、上記考案において、前記連結部用基材は、長尺の連結部を構成する当て板に沿って前記針金を設けたことを特徴とする。
【００１１】
また、本考案に係る防寒用耳当は、上記考案において、更に、前記補助部に被せる着脱自在のカバーを設けたことを特徴とする。
【図面の簡単な説明】
【００１２】
【図１】本考案の実施の形態１に係る防寒用耳当を示す斜視図である。
【図２】図１に示した防寒用耳当の内部構造を示す説明図である。
【図３】図１に示した防寒用耳当を示す組立図である。
【図４】この防寒用耳当の使用状態を示す説明図である。
【図５】本考案の実施の形態２に係る防寒用耳当の基材を示す説明図である。
【図６】本考案の防寒用耳当の変形例を示す説明図である。
【考案を実施するための形態】
【００１３】
（実施の形態１）
図１は、本考案の実施の形態１に係る防寒用耳当を示す斜視図である。図２は、図１に示した防寒用耳当の内部構造を示す説明図である（外形を一点鎖線で示す）。図３は、図１に示した防寒用耳当を示す組立図である。この防寒用耳当１００は、左右に耳に被せる一対の耳当部１と、各耳当部１から延出する補助部２と、左右の耳当部１を連結する長尺の短冊状の連結部３とから構成される。耳当部１は、略円形、四角形等の任意の形状である。また、前記補助部２は、主部の端縁から一方向に延出した形状であり、楕円、四角形等の任意の形状からなる。
【００１４】
耳当部１及び補助部２は、基材５を内部に有し、外部は布や革等の外装材で被覆される。外装材と基材５との間にはクッション材等を適宜設けるものとする。各耳当部１の基材５は、連結部用基材６により連結される。連結部３も同様に、連結部用基材６の周囲を布や革等の素材により被覆される。
【００１５】
基材５は、変形自在で変形姿勢を維持可能な針金７を略平面的に取り回した構造であり、外周に太い針金７ａを用い、内側に細い針金７ｂを用いる。外周の針金７で耳当部１及び補助部２の形状が定まる。更に、略平面的に取り回した針金７に対して所定形状の当て板８を設ける。当て板８は、弾性を有する樹脂製の板により構成するのが好ましい。当て板８に針金７を沿わせることで、樹脂の当て板８が全体的に緩やかに湾曲するので、特定の部位のみで折れ曲がることを防止できる。換言すれば、針金７の一部にストレスが加わるような曲がり方を当該当て板８によって防止する。係る観点から前記当て板８は、多少の湾曲により塑性変形を起こさないように、その厚さや材料の選定をするものとする。
【００１６】
また、当て板８と針金７とは、完全に固定するのではなく湾曲による変形時の当て板８と針金７との差分を吸収できるように、両者の一部をバンド９等で緩やかに固定するのが好ましい。なお、図示しないが、平面的に取り回した針金７を２枚の樹脂製の当て板８で挟んで当該当て板８に沿わせると共に当該針金７を当て板８の間で緩やかに保持するようにしても良い。
【００１７】
次に、連結部用基材６は、樹脂製の長尺の当て板１０に対し、変形自在で変形姿勢を維持可能な複数の針金１２を並設して沿わせた構造である。当て板１０と針金１２とは完全に接着するのではなく、当て板１０に設けた接着バンド１１による緩やかな締結で僅かに相互摺動できる状態としておく。これにより、連結部３がスムーズに変形可能となる。上記基材５と同様、当て板１０に針金１２を添わせることで、樹脂の当て板８が全体的に緩やかに湾曲するので、特定の部位のみで折れ曲がることを防止できる。換言すれば、針金１２の一部にストレスが加わるような曲がり方を当該当て板８により防止する。係る観点から前記当て板１０は、多少の湾曲により塑性変形を起こさないように、その厚さや材料の選定をするものとする。
【００１８】
補助部２の前記耳当部１からの延出長さは、多くのユーザに適用できるように、５ｃｍ以上１２ｃｍ以下とする。また、補助部２の外装に対して、カバー２０を着脱できるようにしても良い。このカバー２０は、伸縮性の高い袋状の構造体である。また、補助部２及び耳当部１の両方に被せるソックス形状のカバーを用いても良い（図示省略）。カバー２０は、取り外して洗濯できる素材にすることで、清潔な状態で防寒用耳当１００を使用できる。
【００１９】
耳当部１の基材５と連結部３の連結部用基材６とは、連結部用基材６の針金７の両端部に形成したクリップ部１３で当て板８を挟むようにして固定する。なお、耳当部１の基材５と連結部３の連結部用基材６との連結は、係るクリップ部１３によるものに限定されない。例えば、連結部３の針金７の端部を耳当部１の針金７に巻き付けた構造等でも良い（図示省略）。
【００２０】
図４は、この防寒用耳当１００の使用状態を示す説明図である。この防寒用耳当１００によれば、補助部２に力を加えることで、内部の基材５が変形すると共にその変形姿勢を維持する。ユーザＵは、自分の顔の形に合わせて適宜補助部２を変形させることが可能であるから、補助部２を頬Ｕ１にフィットするように変形させることも容易である。また、基材５が針金７を取り回した構成であるため、単純な折り曲げではなく、三次元的な折り曲げも自在である。即ち、頬Ｕ１は、下方に向かって細くなるところ、この補助部２は頬Ｕ１に沿った形状に湾曲変形できるので、当該補助部２を頬Ｕ１に対してフィットさせることができる。このため、頬Ｕ１と補助部２との隙間をなくして防寒性を高めることができる。
【００２１】
また、連結部３も針金１２の作用により、力を加えて変形させた状態を維持できる。このため、ユーザＵの頭の形に合わせた変形が可能となるので、フィット感が増す。更に、大きく変形させることが可能であるから、全体をコンパクトにまとめて収納しやすくできる。更に、連結部３に捩じりを加えてその姿勢を保持できる。更に、連結部３を直線状に変形して全体を平にし、収納をし易くできる。
【００２２】
なお、上記針金７，１２は、２ｍｍ〜５ｍｍ幅程度の金属製の帯状体（請求項の「針金７」に含む）であっても良い（図示省略）。また、上記基材５の針金７を格子状ないしネット状に組み合わせたような平面的取り回し構造としても良い（図示省略）。このようなものであっても、上記同様の作用効果を奏することができる。
【００２３】
（実施の形態２）
図５は、本考案の実施の形態２に係る防寒用耳当の基材を示す説明図である。この防寒用耳当２００では、上記基材２０５を金属の板体２０１で構成する。その他の構成は、上記実施の形態１と同様であるからその説明を省略する。この板体２０１は、自由な変形を行うため、全体的にパンチングが施されている。これにより、三次元的な複雑な変形を可能とする。また、パンチング加工をすることで全体で使用する材料の量を削減でき、軽量化できる。
【００２４】
基材２０５を板体２０１で形成することで、上記針金７及び当て板８は不要となるので、全体構造を簡略化できる。パンチングの穴２０２は、板体２０１に対して４割以上、好ましくは６割以上の面積を占めるようにするのが好ましい。このような面積割合で穴２０２を設けると、基材２０５の変形が容易となる。更に、前記連結用基材２０６については、帯状の金属板２０７を用いるようにしても良い。この金属板２０７により上記針金１２を並設した構造と略同様の作用効果を得ることができるようになる。
【００２５】
また、図６に示すように、カバー３０は、左右両側の先端同士を面状の布３１により接続することでマスク状にし、ユーザの口の前に位置させるようにしても良い。前記布３１の形状は同図に示したような矩形のみならず、三角形等でも良い（図示省略）。このようにすれば、頬のみならず、口の周りを塞ぐことができるので、より防寒能力が向上する。また、当該布３１は、複層構造にしても良いし、内部に綿やフィルターを配設しても良い。
【符号の説明】
【００２６】
１００  防寒用耳当
１  耳当部
２  補助部
３  連結部
５  基材
６  連結部用基材
７  針金
８  当て板
１０  当て板
１２  針金
【図１】
0003191545.tif 000003
【図２】
0003191545.tif 000004
【図３】
0003191545.tif 000005
【図４】
0003191545.tif 000006
【図５】
0003191545.tif 000007
【図６】
0003191545.tif 000008